(57)【特許請求の範囲】
【請求項１】
１台の認証端末と、
前記１台の認証端末に対する認証操作についての複数の操作パターンが対応付けられた複数種類の要望のうち、前記１台の認証端末に対して行われた操作パターンに対応付けられた要望を、調節する対象となる１種類の屋内環境である対象環境に対する要望と判定する要望取得部と、
判定された要望に基づいて、前記対象環境を調節するための調節機器による調節内容と、前記調節機器とは異なる種類の機器であり前記対象環境に影響を及ぼす設備機器の動作内容と、を決定する制御内容決定部と、
決定された調節内容に従って前記調節機器を制御し、決定された動作内容に従って前記設備機器を制御する機器制御部と、
を備える環境調節システム。
【請求項２】
前記複数の操作パターンが、認証操作にかけられた操作時間と認証操作が行われた操作回数との少なくともいずれかによって分類される
請求項１に記載の環境調節システム。
【請求項３】
前記環境調節システムは、要望調停部を備え、
前記要望取得部は、複数の利用者の複数の要望を取得し、
前記要望調停部は、取得された複数の要望に基づいて前記対象環境に対する要望を決定し、
前記制御内容決定部は、決定された要望に基づいて前記調節内容と前記動作内容とを決定する
請求項１または請求項２に記載の環境調節システム。
【請求項４】
前記環境調節システムは、
前記調節機器と前記設備機器とのそれぞれを制御することが可能な管理端末と、
前記対象環境に対する要望を前記管理端末に表示させる要望可視化部とを備える
請求項１から請求項３のいずれか１項に記載の環境調節システム。
【請求項５】
前記環境調節システムは、複数のエリアのそれぞれに認証端末を備え、
前記機器制御部は、利用された認証端末が備わるエリアの調節機器と設備機器とを制御する
請求項１から請求項４のいずれか１項に記載の環境調節システム。
【請求項６】
要望取得部が、１台の認証端末に対する認証操作についての複数の操作パターンが対応付けられた複数種類の要望のうち、前記１台の認証端末に対して行われた操作パターンに対応付けられた要望を、調節する対象となる１種類の屋内環境である対象環境に対する要望と判定し、
制御内容決定部が、判定された要望に基づいて、前記対象環境を調節するための調節機器による調節内容と、前記調節機器とは異なる種類の機器であり前記対象環境に影響を及ぼす設備機器の動作内容と、を決定し、
機器制御部が、決定された調節内容に従って前記調節機器を制御し、決定された動作内容に従って前記設備機器を制御する
環境調節方法。
【請求項７】
１台の認証端末に対する認証操作についての複数の操作パターンが対応付けられた複数種類の要望のうち、前記１台の認証端末に対して行われた操作パターンに対応付けられた要望を、調節する対象となる１種類の屋内環境である対象環境に対する要望と判定する要望取得処理と、
判定された要望に基づいて、前記対象環境を調節するための調節機器による調節内容と、前記調節機器とは異なる種類の機器であり前記対象環境に影響を及ぼす設備機器の動作内容と、を決定する制御内容決定処理と、
決定された調節内容に従って前記調節機器を制御し、決定された動作内容に従って前記設備機器を制御する機器制御処理と、
をコンピュータに実行させるための環境調節プログラム。
【発明の詳細な説明】
【技術分野】
【０００１】
本発明は、利用者の要望に応じて屋内環境を調節する方法に関するものである。
【背景技術】
【０００２】
居住者の要望に応じて室内の温熱環境を調節することによって居住者の快適性を向上させることが望まれている。【０００３】
特許文献１には、居住者の要望に応じて空気調和設備を制御するシステムが開示されている。
【先行技術文献】
【特許文献】
【０００４】
【特許文献１】特開２０１０−２５５４６号公報
【発明の概要】
【発明が解決しようとする課題】
【０００５】
空気調和設備は、他の設備に比べて、エネルギー消費量が大きい。
そのため、空気調和設備のみを利用して温熱環境を調節しようとすると、エネルギー消費量が増大してしまう。【０００６】
本発明は、エネルギー消費量を増大させずに、利用者の要望に応じて屋内環境を調節できるようにすることを目的とする。
【課題を解決するための手段】
【０００７】
本発明の環境調節システムは、
調節する対象となる屋内環境である対象環境に対する要望を取得する要望取得部と、
取得された要望に基づいて、前記対象環境を調節するための調節機器による調節内容と、前記調節機器とは異なる種類の機器であり前記対象環境に影響を及ぼす設備機器の動作内容と、を決定する制御内容決定部と、
決定された調整内容に従って前記調節機器を制御し、決定された動作内容に従って前記設備機器を制御する機器制御部とを備える。
【発明の効果】
【０００８】
本発明によれば、空気調和機だけでなく照明器具および換気機器を利用して温熱環境を調節することができる。空気調和機は調節機器の一例である。照明器具および換気機器は設備機器の一例である。温熱環境は対象環境の一例である。
そのため、空気調和機のみを利用する場合に比べて、エネルギー消費量を抑えることができる。
したがって、エネルギー消費量を増大させずに、利用者の要望に応じて屋内環境を調節することが可能となる。
【図面の簡単な説明】
【０００９】
【図１】実施の形態１における環境調節システム１００の構成図。
【図２】実施の形態１における環境調節装置２００の構成図。
【図３】実施の形態１における環境調節方法のフローチャート。
【図４】実施の形態１における要望取得処理（Ｓ１１０）のフローチャート。
【図５】実施の形態２における環境調節システム１００の構成図。
【図６】実施の形態２における環境調節方法のフローチャート。
【図７】実施の形態２における要望取得処理（Ｓ２１０）のフローチャート。
【図８】実施の形態３における環境調節方法のフローチャート。
【図９】実施の形態３における要望取得処理（Ｓ３１０）のフローチャート。
【図１０】実施の形態４における環境調節装置２００の構成図。
【図１１】実施の形態４における環境調節方法のフローチャート。
【図１２】実施の形態５における環境調節システム１００の構成図。
【図１３】実施の形態５における環境調節装置２００の構成図。
【図１４】実施の形態５における環境調節方法のフローチャート。
【図１５】実施の形態６における環境調節方法のフローチャート。
【図１６】実施の形態７における環境調節システム１００の構成図。
【図１７】実施の形態７における環境調節方法のフローチャート。
【図１８】実施の形態７における要望取得処理（Ｓ７１０）のフローチャート。
【図１９】実施の形態における環境調節装置２００のハードウェア構成図。
【発明を実施するための形態】
【００１０】
実施の形態および図面において、同じ要素または対応する要素には同じ符号を付している。説明した要素と同じ符号が付された要素の説明は適宜に省略または簡略化する。図中の矢印はデータの流れ又は処理の流れを主に示している。
【００１１】
実施の形態１．
環境調節システム１００について、図１から図４に基づいて説明する。
【００１２】
環境調節システム１００は、ビル、オフィスまたは商業施設などの建物に設けられ、温度または明るさなどの屋内環境を調節する。
【００１３】
調節する対象となる屋内環境を「対象環境」と称する。
実施の形態１では、対象環境が「温度」である場合を例に挙げて説明を行う。
【００１４】
＊＊＊構成の説明＊＊＊
図１に基づいて、環境調節システム１００の構成を説明する。
環境調節システム１００は、空気調和機１２１、照明器具１２２および換気機器１２３などの各種機器を備える。
空気調和機１２１は、対象環境である「温度」を調節するための機器である。
照明器具１２２と換気機器１２３とのそれぞれは、「温度」の調節を目的とする機器ではないが、「温度」に影響を及ぼす機器である。例えば、照明器具１２２が点灯すると照明器具１２２が発熱するため屋内の温度が上がり、照明器具１２２が消灯すると発熱が止まるため屋内の温度が下がる。例えば、換気機器１２３が動作すると換気によって屋内の温度が外気温に近づく。
空気調和機１２１のように対象環境を調節するための機器を「調節機器」と称する。
照明器具１２２または換気機器１２３のように、調節機器とは異なる種類の機器であり対象環境に影響を及ぼす機器を「設備機器」と称する。
【００１５】
環境調節システム１００は、入退管理システム１１０と環境調節装置２００とを備える。
入退管理システム１１０は、利用者の入退場を管理するシステムであり、複数の認証端末１１１を備える。認証端末１１１は、入退時に利用者が認証を受けるために利用する端末である。
複数の認証端末１１１は、対象環境（温度）に対する複数種類の要望に対応付けられている。具体的には、認証端末１１１Ａは、「暑い」ので温度を下げてほしい、という要望に対応付けられている。認証端末１１１Ｂは、「寒い」ので温度を上げてほしい、という要望に対応付けられている。認証端末１１１Ｃは、「快適」なので温度を変えないでほしい、という要望に対応付けられている。
【００１６】
環境調節装置２００は、利用者が利用した認証端末１１１に対応付けられた要望に基づいて、調節機器と設備機器との両方を制御する。
【００１７】
環境調節システム１００は、イントラネットのような内部ネットワークを有する。
環境調節装置２００は、内部ネットワークを介して、入退管理システム１１０と各種機器とのそれぞれと通信する。
つまり、環境調節のための通信には、インターネットのような外部ネットワークは使用されない。
【００１８】
図２に基づいて、環境調節装置２００の構成を説明する。
環境調節装置２００は、プロセッサ２０１とメモリ２０２と補助記憶装置２０３と通信装置２０４と入出力インタフェース２０５といったハードウェアを備えるコンピュータである。これらのハードウェアは、信号線を介して互いに接続されている。
【００１９】
プロセッサ２０１は、演算処理を行うＩＣであり、他のハードウェアを制御する。例えば、プロセッサ２０１は、ＣＰＵ、ＤＳＰまたはＧＰＵである。
ＩＣは、Ｉｎｔｅｇｒａｔｅｄ  Ｃｉｒｃｕｉｔの略称である。
ＣＰＵは、Ｃｅｎｔｒａｌ  Ｐｒｏｃｅｓｓｉｎｇ  Ｕｎｉｔの略称である。
ＤＳＰは、Ｄｉｇｉｔａｌ  Ｓｉｇｎａｌ  Ｐｒｏｃｅｓｓｏｒの略称である。
ＧＰＵは、Ｇｒａｐｈｉｃｓ  Ｐｒｏｃｅｓｓｉｎｇ  Ｕｎｉｔの略称である。
【００２０】
メモリ２０２は揮発性の記憶装置である。メモリ２０２は、主記憶装置またはメインメモリとも呼ばれる。例えば、メモリ２０２はＲＡＭである。メモリ２０２に記憶されたデータは必要に応じて補助記憶装置２０３に保存される。
ＲＡＭは、Ｒａｎｄｏｍ  Ａｃｃｅｓｓ  Ｍｅｍｏｒｙの略称である。
【００２１】
補助記憶装置２０３は不揮発性の記憶装置である。例えば、補助記憶装置２０３は、ＲＯＭ、ＨＤＤまたはフラッシュメモリである。補助記憶装置２０３に記憶されたデータは必要に応じてメモリ２０２にロードされる。
ＲＯＭは、Ｒｅａｄ  Ｏｎｌｙ  Ｍｅｍｏｒｙの略称である。
ＨＤＤは、Ｈａｒｄ  Ｄｉｓｋ  Ｄｒｉｖｅの略称である。
【００２２】
通信装置２０４はレシーバ及びトランスミッタである。例えば、通信装置２０４は通信チップまたはＮＩＣである。
ＮＩＣは、Ｎｅｔｗｏｒｋ  Ｉｎｔｅｒｆａｃｅ  Ｃａｒｄの略称である。
【００２３】
入出力インタフェース２０５は、入力装置および出力装置が接続されるポートである。例えば、入出力インタフェース２０５はＵＳＢ端子であり、入力装置はキーボードおよびマウスであり、出力装置はディスプレイである。
ＵＳＢは、Ｕｎｉｖｅｒｓａｌ  Ｓｅｒｉａｌ  Ｂｕｓの略称である。
【００２４】
環境調節装置２００は、要望取得部２１０と制御内容決定部２２０と機器制御部２３０といった要素を備える。これらの要素はソフトウェアで実現される。
【００２５】
補助記憶装置２０３には、要望取得部２１０と制御内容決定部２２０と機器制御部２３０としてコンピュータを機能させるための環境調節プログラムが記憶されている。環境調節プログラムは、メモリ２０２にロードされて、プロセッサ２０１によって実行される。
補助記憶装置２０３には、さらに、ＯＳが記憶されている。ＯＳの少なくとも一部は、メモリ２０２にロードされて、プロセッサ２０１によって実行される。
プロセッサ２０１は、ＯＳを実行しながら、環境調節プログラムを実行する。
ＯＳは、Ｏｐｅｒａｔｉｎｇ  Ｓｙｓｔｅｍの略称である。
【００２６】
環境調節プログラムの入出力データは記憶部２９０に記憶される。
メモリ２０２は記憶部２９０として機能する。但し、補助記憶装置２０３、プロセッサ２０１内のレジスタおよびプロセッサ２０１内のキャッシュメモリなどの記憶装置が、メモリ２０２の代わりに、又は、メモリ２０２と共に、記憶部２９０として機能してもよい。
【００２７】
環境調節装置２００は、プロセッサ２０１を代替する複数のプロセッサを備えてもよい。複数のプロセッサは、プロセッサ２０１の役割を分担する。
【００２８】
環境調節プログラムは、光ディスクまたはフラッシュメモリ等の不揮発性の記録媒体にコンピュータ読み取り可能に記録（格納）することができる。
【００２９】
＊＊＊動作の説明＊＊＊
環境調節装置２００の動作は環境調節方法に相当する。また、環境調節方法の手順は環境調節プログラムの手順に相当する。
【００３０】
図３に基づいて、環境調節方法を説明する。
ステップＳ１１０において、要望取得部２１０は、対象環境に対する要望を取得する。
具体的には、要望取得部２１０は、利用者が利用した認証端末に対応付けられた要望を対象環境に対する要望と判定する。
【００３１】
図４に基づいて、要望取得処理（Ｓ１１０）の手順を説明する。
ステップＳ１１１において、利用者は、複数の認証端末１１１から、対象環境に対する要望に対応する認証端末１１１を選択する。
【００３２】
ステップＳ１１２において、利用者は、選択した認証端末１１１を利用して認証を受ける。
例えば、認証端末１１１はカードリーダを備え、利用者はＩＤカードをカードリーダにかざす。
ＩＤカードは、利用者の身分情報が記録されたＩＣカードであり、身分証明カードともいう。
ＩＤはＩｄｅｎｔｉｆｉｅｒまたはＩｄｅｎｔｉｆｉｃａｔｉｏｎの略称である。
ＩＣはＩｎｔｅｇｒａｔｅｄ  Ｃｉｒｃｕｉｔの略称である。
【００３３】
ステップＳ１１３において、利用された認証端末１１１は、認証処理を行う。
認証処理において利用者の要望が承認された場合、利用された認証端末１１１は、利用者の要望が承認されたことを環境調節装置２００に通知する。
【００３４】
ステップＳ１１４において、要望取得部２１０は、利用された認証端末１１１からの通知を受けると、利用された認証端末１１１に対応付けられた要望を特定する。特定される要望が対象環境に対する要望である。
【００３５】
要望取得部２１０は、例えば、利用された認証端末１１１に対応付けられた要望を以下のように特定する。
要望テーブルが予め記憶部２９０に記憶される。要望テーブルは、複数の認証端末１１１と複数種類の要望とを互いに対応付ける。
要望取得部２１０は、利用された認証端末１１１に対応付けられた要望を要望テーブルから取得する。
【００３６】
図３に戻り、ステップＳ１２０から説明を続ける。
ステップＳ１２０において、制御内容決定部２２０は、対象環境に対する要望に基づいて、調節機器による調節内容と設備機器の動作内容とを決定する。
【００３７】
調節内容の例を以下に示す。
「暑い」ので温度を下げてほしい、という要望が取得された場合、調節内容は、空気調和機１２１の設定温度を少し下げることである。
「寒い」ので温度を上げてほしい、という要望が取得された場合、調節内容は、空気調和機１２１の設定温度を少し上げることである。
【００３８】
動作内容の例を以下に示す。
「暑い」ので温度を下げてほしい、という要望が取得された場合、動作内容は、照明器具１２２の照度を下げること、および、換気機器１２３を動作させること（または停止させること）である。
「寒い」ので温度を上げてほしい、という要望が取得された場合、調節内容は、照明器具１２２の照度を上げること、および、換気機器１２３を停止させること（または動作させること）である。
【００３９】
制御内容決定部２２０は、例えば、調節内容と動作内容とを以下のように決定する。
制御内容テーブルが予め記憶部２９０に記憶される。制御内容テーブルは、複数種類の要望と複数の制御内容とを互いに対応付ける。それぞれの制御内容は、調節内容と動作内容とを含む。
制御内容決定部２２０は、取得された要望に対応付けられた制御内容を制御内容テーブルから取得する。
【００４０】
ステップＳ１３０において、機器制御部２３０は、決定された調節内容に従って、調節機器を制御する。
つまり、機器制御部２３０は、決定された調節内容に従って、空気調和機１２１を制御する。
【００４１】
ステップＳ１４０において、機器制御部２３０は、決定された動作内容に従って、設備機器を制御する。
つまり、機器制御部２３０は、決定された動作内容に従って、照明器具１２２と換気機器１２３とのそれぞれを制御する。
【００４２】
＊＊＊実施の形態１の効果＊＊＊
実施の形態１では、ビル内設備（入退管理システム１１０）を利用して居住者の要望（暑い／寒い、満足／不満など）が収集される。そして、収集された要望に応じて、各種機器が制御される。制御される機器は、要望に直結する機器に限らない。例えば、居住者からの要望が「寒い」である場合、空気調和機１２１の設定温度を上げるだけでなく、照明器具１２２の色温度を暖色にする。
これにより、エネルギー消費量を増大させずに、居住者の要望に応じて室内環境を調節することが可能となる。
【００４３】
入退管理システム１１０によって居住者の認証が行われるため、関係のない第三者によるシステムの利用を防ぐことができる。
ビル内設備が利用されることにより、外部のネットワークに繋がずにセキュアな通信で居住者の要望を収集することが可能である。
【００４４】
実施の形態２．
認証端末１１１に対する操作によって対象環境に対する要望が指定される形態について、主に実施の形態１と異なる点を図５および図７に基づいて説明する。
【００４５】
＊＊＊構成の説明＊＊＊
図５に基づいて、環境調節システム１００の構成を説明する。
環境調節システム１００の構成は、入退管理システム１１０の構成を除いて、実施の形態１における構成と同じである。
入退管理システム１１０は、複数種類の要望に対応付けられた複数の認証端末（１１１Ａ〜１１１Ｃ）の代わりに、１つの認証端末１１１を備える（図１参照）。
【００４６】
認証端末１１１に対する操作を「認証操作」と称する。
認証操作のパターンを「操作パターン」と称する。
操作パターンは複数存在し、複数の操作パターンが複数種類の要望に対応付けられている。
複数の操作パターンは、操作時間と操作回数との少なくともいずれかによって分類される。操作時間は、認証操作にかけられた時間の長さである。操作回数は、認証操作が行われた回数である。
例えば、認証端末１１１はカードリーダを備える。この場合、認証操作とは、カードリーダにＩＤカードをかざす行為である。操作時間は、カードリーダにＩＤカードがかざされた時間の長さである。操作回数は、カードリーダにＩＤカードがかざされた回数である。
【００４７】
＊＊＊動作の説明＊＊＊
図６に基づいて、環境調節方法を説明する。
環境調節方法の手順は、実施の形態１における手順と同じである（図３参照）。
但し、要望取得処理（Ｓ２１０）が、実施の形態１における処理（Ｓ１１０）と異なる。
【００４８】
要望取得処理（Ｓ２１０）について説明する。
ステップＳ２１０において、要望取得部２１０は、対象環境に対する要望を取得する。
具体的には、要望取得部２１０は、認証端末１１１に対して行われた操作パターンに対応付けられた要望を対象環境に対する要望と判定する。
【００４９】
図７に基づいて、要望取得処理（Ｓ２１０）の手順を説明する。
ステップＳ２１１において、利用者は、対象環境に対する要望に対応する操作パターンで、認証端末１１１に対して認証操作を行う。
例えば、「暑い」と感じている場合、利用者は、認証端末１１１のカードリーダにＩＤカードを１回かざす。また、「寒い」と感じている場合、利用者は、認証端末１１１のカードリーダにＩＤカードを２回かざす。
【００５０】
ステップＳ２１２において、認証端末１１１は認証処理を行う。
認証処理において利用者の要望が承認された場合、認証端末１１１は、利用者が行った操作パターンを環境調節装置２００に通知する。
【００５１】
ステップＳ２１３において、要望取得部２１０は、操作パターンの通知を受けると、通知された操作パターンに対応付けられた要望を特定する。特定される要望が対象環境に対する要望である。
【００５２】
要望取得部２１０は、例えば、通知された操作パターンに対応付けられた要望を以下のように特定する。
要望テーブルが予め記憶部２９０に記憶される。要望テーブルは、複数の操作パターンと複数種類の要望とを互いに対応付ける。
要望取得部２１０は、通知された操作パターンに対応付けられた要望を要望テーブルから取得する。
【００５３】
＊＊＊実施の形態２の効果＊＊＊
利用者は、認証端末１１１に対する操作によって対象環境に対する要望を指定することができる。そのため、要望毎に認証端末１１１を用意する必要ない。したがって、システムのコストを抑えることができる。
【００５４】
実施の形態３．
利用者の属性（性別または年齢など）に基づいて利用者の要望を決定する形態について、主に実施の形態１および実施の形態２と異なる点を図８および図９に基づいて説明する。
【００５５】
＊＊＊構成の説明＊＊＊
環境調節システム１００の構成は、実施の形態２における構成と同じである（図５参照）。
環境調節装置２００の構成は、実施の形態１における構成と同じである（図２参照）。
【００５６】
＊＊＊動作の説明＊＊＊
図９に基づいて、環境調節方法を説明する。
環境調節方法の手順は、実施の形態１における手順と同じである（図３参照）。
但し、要望取得処理（Ｓ３１０）が、実施の形態１における処理（Ｓ１１０）と異なる。
【００５７】
要望取得処理（Ｓ３１０）について説明する。
ステップＳ３１０において、要望取得部２１０は、対象環境に対する評価を受け付ける。
具体的には、要望取得部２１０は、承認された利用者を識別する利用者識別子を認証端末１１１から取得し、取得した利用者識別子に基づいて、承認された利用者の属性情報を取得し、取得した属性情報に基づいて対象環境に対する要望を決定する。
入場識別子は、入場者を識別する。
入場者は、入場の承認を受けた利用者である。
【００５８】
図１０に基づいて、要望取得処理（Ｓ３１０）について説明する。
ステップＳ３１１において、利用者は、認証端末１１１を利用して認証を受ける。
例えば、認証端末１１１はカードリーダを備え、利用者はＩＤカードをカードリーダにかざす。
【００５９】
ステップＳ３１２において、認証端末１１１は、認証処理を行う。
認証処理において利用者の入場が承認された場合、認証端末１１１は、利用者の識別子を環境調節装置２００に通知する。通知される識別子を「入場者識別子」と称する。入場者識別子で識別される利用者を「入場者」と称する。
【００６０】
ステップＳ３１３において、要望取得部２１０は、入場者識別子の通知を受けると、通知された入場者識別子に基づいて、入場者の属性情報を取得する。
【００６１】
要望取得部２１０は、例えば、入場者の属性情報を以下のように取得する。
利用者データベースが記憶部２９０に予め記憶されている。利用者データベースは、利用者毎に利用者データを有する。利用者データは、利用者識別子と属性情報とを含む。
要望取得部２１０は、利用者データベースから入場者識別子と同じ利用者識別子を含んだ利用者データを取得し、取得した利用者データから属性情報を取得する。
【００６２】
ステップＳ３１４において、要望取得部２１０は、取得した属性情報に基づいて、対象環境に対する要望を決定する。
【００６３】
決定される要望の例を説明する。
属性情報が「高齢者」の情報または「女性」の情報である場合、決定される要望は、温度を上げてほしい、という要望である。
【００６４】
要望取得部２１０は、例えば、対象環境に対する要望を以下のように決定する。
要望テーブルが記憶部２９０予め記憶されている。要望テーブルは、複数種類の属性情報と複数種類の要望とを互いに対応付ける。
要望取得部２１０は、取得した属性情報に対応付けられた要望を要望テーブルから取得する。
【００６５】
＊＊＊実施の形態３の効果＊＊＊
実施の形態３では、利用者の属性に基づいて利用者の要望が推測される。利用者は、自分の要望を指定する必要がない。したがって、要望を指定するための操作を利用者に要求せずに、快適な環境を利用者に提供することが可能となる。
【００６６】
実施の形態４．
複数の利用者からの要望を調停する形態について、主に実施の形態１と異なる点を図１０および図１１に基づいて説明する。
【００６７】
＊＊＊構成の説明＊＊＊
環境調節システム１００の構成は、実施の形態１における構成と同じである。
【００６８】
図１０に基づいて、環境調節装置２００の構成を説明する。
環境調節装置２００は、さらに、要望調停部２１１を備える。
環境調節プログラムは、さらに、要望調停部２１１としてコンピュータを機能させる。
【００６９】
＊＊＊動作の説明＊＊＊
図１１に基づいて、環境調節方法を説明する。
ステップＳ４１０において、要望取得部２１０は、複数の利用者の複数の要望を取得する。
具体的には、要望取得部２１０は、入退管理システム１１０から、場内にいる複数の利用者の複数の要望を取得する。つまり、要望取得部２１０は、入場後退場していない複数の利用者の複数の要望を取得する。
各利用者の要望を取得する方法は、実施の形態１のステップＳ１１０における方法と同じである。
【００７０】
ステップＳ４２０において、要望調停部２１１は、取得された複数の要望に基づいて、対象環境に対する要望を決定する。
例えば、要望調停部２１１は、多数決によって、対象環境に対する要望を決定する。つまり、要望調停部２１１は、取得された複数の要望の中で最も多い要望を選択する。
【００７１】
ステップＳ４３０からステップＳ４５０は、実施の形態１におけるステップＳ１２０からステップＳ１４０と同じである。
【００７２】
＊＊＊実施の形態４の効果＊＊＊
実施の形態４では、複数の利用者からの要望を調停する。これにより、より多くの利用者にとって快適な環境を提供することが可能となる。
【００７３】
＊＊＊実施の形態４の補足＊＊＊
実施の形態４は、実施の形態２または実施の形態３と組み合わせてもよい。
つまり、環境調節システム１００の構成は、実施の形態２または実施の形態３の構成と同じであってもよい。
また、ステップＳ４１０において、各利用者の要望を取得する方法は、実施の形態２のステップＳ２１０における方法、または、実施の形態３のステップＳ３１０における方法と同じであってもよい。
【００７４】
実施の形態５．
対象環境に対する要望を管理者の端末に表示させる形態について、主に実施の形態１と異なる点を図１２から図１４に基づいて説明する。
【００７５】
＊＊＊構成の説明＊＊＊
図１２に基づいて、環境調節システム１００の構成を説明する。
環境調節システム１００の構成は、管理端末１３０を除いて、実施の形態１における構成と同じである。
【００７６】
環境調節システム１００は、管理端末１３０を備える。
管理端末１３０は、調節機器と設備機器とのそれぞれを制御することが可能な端末である。例えば、管理端末１３０は管理室に配置される。そして、管理者は、管理端末１３０を操作することによって、調節機器と設備機器とのそれぞれを制御する。
【００７７】
図１３に基づいて、環境調節装置２００の構成を説明する。
環境調節装置２００は、さらに、要望可視化部２１２を備える。
環境調節プログラムは、さらに、要望可視化部２１２としてコンピュータを機能させる。
【００７８】
＊＊＊動作の説明＊＊＊
図１４に基づいて、環境調節方法を説明する。
ステップＳ５１０において、要望取得部２１０は、対象環境に対する要望を取得する。
ステップＳ５１０は、実施の形態１におけるステップＳ１１０と同じである。
【００７９】
ステップＳ５２０において、要望可視化部２１２は、取得された要望を管理端末１３０のディスプレイに表示させる。
例えば、要望可視化部２１２は、取得された要望を管理端末１３０に通知する。そして、管理端末１３０は、通知された要望をディスプレイに表示する。
【００８０】
ステップＳ５３０からステップＳ５５０は、実施の形態１におけるステップＳ１２０からステップＳ１４０と同じである。
【００８１】
＊＊＊実施の形態５の効果＊＊＊
実施の形態５により、ビル管理者に対して、利用者の要望を可視化することができる。ビル管理者は、システムによる自動調節に頼らずに、可視化された要望に応じてビル内環境を調節することができる。
【００８２】
＊＊＊実施の形態５の補足＊＊＊
実施の形態５は、実施の形態２または実施の形態３と組み合わせてもよい。つまり、要望取得部２１０は、実施の形態２における方法または実施の形態３における方法によって、対象環境に対する要望を取得してもよい。
実施の形態５は、実施の形態４と組み合わせてもよい。つまり、環境調節装置２００が要望調停部２１１を備えてもよい。要望取得部２１０は複数の利用者の複数の要望を取得し、要望調停部２１１は複数の要望に基づいて対象環境に対する要望を決定し、要望可視化部２１２は対象環境に対する要望を管理端末１３０に表示させる。
【００８３】
実施の形態６．
環境調節システム１００が複数のエリアのそれぞれの対象環境を調節する形態について、主に実施の形態１と異なる点を図１５に基づいて説明する。
【００８４】
＊＊＊構成の説明＊＊＊
環境調節システム１００の構成は、実施の形態１における構成と同じである（図１参照）。
但し、環境調節システム１００は、複数のエリアのそれぞれに複数の認証端末１１１を備える。また、環境調節システム１００は、複数のエリアのそれぞれに調節機器と設備機器とを備える。
【００８５】
＊＊＊動作の説明＊＊＊
環境調節装置２００は、エリア毎に、環境調節方法を実施する。
【００８６】
図１５に基づいて、環境調節方法の手順を説明する。
ステップＳ６１０において、要望取得部２１０は、対象環境に対する要望を取得する。
ステップＳ６１０は、実施の形態１におけるステップＳ１１０と同じである。
【００８７】
ステップＳ６２０において、要望取得部２１０は、利用された認証端末１１１が備わるエリアを特定する。特定されるエリアを「対象エリア」と称する。
【００８８】
要望取得部２１０は、例えば、対象エリアを以下のように特定する。
エリア管理テーブルが記憶部２９０に予め記憶されている。エリア管理テーブルは、エリア毎にエリアに配置された認証端末１１１を示す。
要望取得部２１０は、エリア管理テーブルを検索することによって、利用された認証端末１１１が配置されたエリアを見つける。見つかったエリアが対象エリアである。
【００８９】
ステップＳ６３０において、制御内容決定部２２０は、取得された要望に基づいて、対象エリアの調節機器による調節内容と、対象エリアの設備機器の動作内容とを決定する。
調節内容と動作内容とを決定する方法、実施の形態１のステップＳ１２０における方法と同じである。
【００９０】
ステップＳ６４０において、機器制御部２３０は、決定された調節内容に従って対象エリアの調節機器を制御する。
【００９１】
ステップＳ６５０において、機器制御部２３０は、決定された動作内容に従って対象エリアの設備機器を制御する。
【００９２】
＊＊＊実施の形態６の効果＊＊＊
実施の形態６により、ビル内の部屋毎に、部屋内の利用者の要望に応じて、部屋内の環境を調節することが可能となる。
【００９３】
＊＊＊実施の形態６の補足＊＊＊
実施の形態６は、実施の形態２から実施の形態５のいずれかと組み合わせてもよい。
つまり、環境調節装置２００は、エリア毎に、実施の形態２から実施の形態５のいずれかにおける環境調節方法を実施してもよい。
【００９４】
実施の形態７．
認証機能付きのコントローラを用いて対象環境に対する要望が指定される形態について、主に実施の形態１と異なる点を図１６から図１８に基づいて説明する。
【００９５】
＊＊＊構成の説明＊＊＊
図１６に基づいて、環境調節システム１００の構成を説明する。
環境調節システム１００は、コントローラ１４０を備える。
コントローラ１４０は、調節機器と設備機器との少なくともいずれかを制御するためのコントローラである。
【００９６】
コントローラ１４０は、認証機器１４１と要望ボタン１４２とを備える。
認証機器１４１は、入退管理システム１１０の認証端末１１１に相当する機器であり、利用者の認証に用いられる。
要望ボタン１４２は、対象環境に対する要望を指定するためのボタンである。例えば、要望ボタン１４２は、複数種類の要望に対応付けられた複数のボタンである。
【００９７】
＊＊＊動作の説明＊＊＊
図１７に基づいて、環境調節方法を説明する。
環境調節方法の手順は、実施の形態１における手順と同じである（図３参照）。
但し、要望取得処理（Ｓ７１０）が、実施の形態１における処理（Ｓ１１０）と異なる。
【００９８】
要望取得処理（Ｓ７１０）について説明する。
ステップＳ７１０において、要望取得部２１０は、対象環境に対する要望を取得する。
具体的には、要望取得部２１０は、認証機器１４１によって要望ボタン１４２の操作が認証された場合に、要望ボタン１４２の操作によって指定された要望を対象環境に対する要望と判定する。
【００９９】
図１８に基づいて、要望取得処理（Ｓ７１０）の手順を説明する。
ステップＳ７１１において、利用者は、認証機器１４１を利用して認証を受ける。
例えば、認証機器１４１はカードリーダを備え、利用者はＩＤカードをカードリーダにかざす。
【０１００】
ステップＳ７１２において、認証機器１４１は認証処理を行う。
認証処理において利用者による要望ボタン１４２の操作が承認された場合、認証機器１４１は、要望ボタン１４２の操作が承認されたことを利用者に通知する。
例えば、コントローラ１４０はディスプレイまたはランプを備える。認証機器１４１は、ディスプレイまたはランプを用いて、要望ボタン１４２の操作が承認されたことを通知する。
【０１０１】
ステップＳ７１３において、利用者は、要望ボタン１４２を操作することによって、対象環境に対する要望を指定する。
例えば、利用者は、要望ボタン１４２として用意された複数のボタンのうち対象環境に対する要望を指定するためのボタンを押下する。
【０１０２】
ステップＳ７１４において、コントローラ１４０は、要望ボタン１４２の操作に対応付けられた要望を環境調節装置２００に通知する。
【０１０３】
ステップＳ７１５において、要望取得部２１０は、通知された要望を受け付ける。受け付けられる要望が対象環境に対する要望である。
【０１０４】
＊＊＊実施の形態７の効果＊＊＊
実施の形態７により、各種機器を制御するためのコントローラを利用して、利用者の要望を受け付けることが可能となる。
【０１０５】
＊＊＊実施の形態７の補足＊＊＊
実施の形態７は、実施の形態２から実施の形態６と組み合わせてもよい。
つまり、実施の形態２から実施の形態６において、入退管理システム１１０をコントローラ１４０に置き換えてもよい。
【０１０６】
＊＊＊実施の形態の補足＊＊＊
図１９に基づいて、環境調節装置２００のハードウェア構成を説明する。
環境調節装置２００は処理回路２０９を備える。
処理回路２０９は、要望取得部２１０と要望調停部２１１と要望可視化部２１２と制御内容決定部２２０と機器制御部２３０とを実現するハードウェアである。
処理回路２０９は、専用のハードウェアであってもよいし、メモリ２０２に格納されるプログラムを実行するプロセッサ２０１であってもよい。
【０１０７】
処理回路２０９が専用のハードウェアである場合、処理回路２０９は、例えば、単一回路、複合回路、プログラム化したプロセッサ、並列プログラム化したプロセッサ、ＡＳＩＣ、ＦＰＧＡまたはこれらの組み合わせである。
ＡＳＩＣは、Ａｐｐｌｉｃａｔｉｏｎ  Ｓｐｅｃｉｆｉｃ  Ｉｎｔｅｇｒａｔｅｄ  Ｃｉｒｃｕｉｔの略称である。
ＦＰＧＡは、Ｆｉｅｌｄ  Ｐｒｏｇｒａｍｍａｂｌｅ  Ｇａｔｅ  Ａｒｒａｙの略称である。
【０１０８】
環境調節装置２００は、処理回路２０９を代替する複数の処理回路を備えてもよい。複数の処理回路は、処理回路２０９の役割を分担する。
【０１０９】
環境調節装置２００において、一部の機能が専用のハードウェアで実現されて、残りの機能がソフトウェアまたはファームウェアで実現されてもよい。
【０１１０】
このように、処理回路２０９はハードウェア、ソフトウェア、ファームウェアまたはこれらの組み合わせで実現することができる。
【０１１１】
実施の形態は、好ましい形態の例示であり、本発明の技術的範囲を制限することを意図するものではない。実施の形態は、部分的に実施してもよいし、他の形態と組み合わせて実施してもよい。フローチャート等を用いて説明した手順は、適宜に変更してもよい。
【０１１２】
環境調節装置２００は、複数の装置で実現されてもよい。例えば、環境調節装置２００は、要望取得部２１０と要望調停部２１１と要望可視化部２１２と制御内容決定部２２０とを実現する装置と、機器制御部２３０を実現する装置とに置き換えてもよい。
環境調節装置２００の要素である「部」は、「処理」または「工程」と読み替えてもよい。
【符号の説明】
【０１１３】
１００  環境調節システム、１１０  入退管理システム、１１１  認証端末、１２０  エリア、１２１  空気調和機、１２２  照明器具、１２３  換気機器、１３０  管理端末、１４０  コントローラ、１４１  認証機器、１４２  要望ボタン、２００  環境調節装置、２０１  プロセッサ、２０２  メモリ、２０３  補助記憶装置、２０４  通信装置、２０５  入出力インタフェース、２０９  処理回路、２１０  要望取得部、２１１  要望調停部、２１２  要望可視化部、２２０  制御内容決定部、２３０  機器制御部、２９０  記憶部。
【要約】
要望取得部（２１０）は、調節する対象となる屋内環境である対象環境に対する要望を取得する。制御内容決定部（２２０）は、取得された要望に基づいて、前記対象環境を調節するための調節機器による調節内容と、前記調節機器とは異なる種類の機器であり前記対象環境に影響を及ぼす設備機器の動作内容と、を決定する。機器制御部（２３０）は、決定された調整内容に従って前記調節機器を制御し、決定された動作内容に従って前記設備機器を制御する。【図１】
0006833102.tif 000002
【図２】
0006833102.tif 000003
【図３】
0006833102.tif 000004
【図４】
0006833102.tif 000005
【図５】
0006833102.tif 000006
【図６】
0006833102.tif 000007
【図７】
0006833102.tif 000008
【図８】
0006833102.tif 000009
【図９】
0006833102.tif 000010
【図１０】
0006833102.tif 000011
【図１１】
0006833102.tif 000012
【図１２】
0006833102.tif 000013
【図１３】
0006833102.tif 000014
【図１４】
0006833102.tif 000015
【図１５】
0006833102.tif 000016
【図１６】
0006833102.tif 000017
【図１７】
0006833102.tif 000018
【図１８】
0006833102.tif 000019
【図１９】
0006833102.tif 000020